(57)【要約】【課題】  現像処理液中で感光材料をターンさせつつ搬送しても感光材料を傷めることなく、高品質な写真プリントを得ることができ、装置の小型化と現像処理時間の短縮とを図ることができる現像処理装置を提供する。【解決手段】  現像処理液Ｗ中で感光材料Ｐを搬送する液中搬送手段３２を備え、該液中搬送手段３２は、軸心回りで回転するターンローラ３２２ａと、外周面の一部をターンローラ３２２ａの外周面に圧接させて設けられ、ターンローラ３２２ａと共に周回するターンベルト３２３ａとを備え、前記ターンローラ３２２ａ及びターンベルト３２３ａの圧接により感光材料Ｐをターンさせつつ搬送するように構成された現像処理装置において、ターンローラ３２２ａ及びターンベルト３２３ａのうち、少なくとも感光材料Ｐの乳剤面に圧接する何れか一方の外周に吸水体３２４ａが設けられていることを特徴とする。【選択図】図４
2006337444.tif 000002
【特許請求の範囲】
【請求項１】
露光処理された感光材料を現像処理すべく、現像処理液中で感光材料を搬送する液中搬送手段を備え、該液中搬送手段は、軸心回りで回転するターンローラと、外周面の一部をターンローラの外周面に圧接させ、前記ターンローラと共に周回する無端環状のターンベルトとを備え、前記ターンローラ及びターンベルトにより感光材料をターンさせつつ圧着搬送するように構成された現像処理装置において、ターンローラ及びターンベルトのうち、少なくとも感光材料の乳剤面に圧接する何れか一方の外周に吸水体が設けられていることを特徴とする現像処理装置。
【請求項２】
前記液中搬送手段は、乳剤面をターンベルト側に位置させた感光材料を搬送するように構成され、前記ターンベルトは、メッシュ材からなる基材と、該基材の外周面上に設けられた前記吸水体とで構成されている請求項１記載の現像処理装置。
【請求項３】
前記液中搬送手段は、乳剤面をターンローラ側に位置させた感光材料を搬送するように構成され、前記ターンローラは、筒状の芯体と、該芯体の外周面上に設けられた前記吸水体とで構成され、前記芯体には、内外を連通させる複数の貫通孔が穿設されている請求項１記載の現像処理装置。
【請求項４】
前記吸水体が柔軟な発泡材料から構成されると共に、該吸水体を押圧して軸心回りで回転するスクイズローラを少なくとも一つ以上備えている請求項１乃至３の何れかに記載の現像処理装置。
【発明の詳細な説明】
【技術分野】
【０００１】
本発明は、露光処理された感光材料を現像処理する現像処理装置に関する。
【背景技術】
【０００２】
従来から、写真店や現像処理店等で写真プリントを作成するに当たり、露光処理された感光材料に対して現像処理を行う現像処理装置が用いられている。かかる現像処理装置は、感光材料を搬送する搬送手段と、感光材料を現像するための現像処理液を貯留する現像処理液槽とを備えている。
【０００３】
前記搬送手段は、感光材料を現像処理液に導く外部搬送手段と、現像処理液中で感光材料を搬送する液中搬送手段とで構成されている。該搬送手段は、液中搬送手段と外部搬送手段とにより、現像処理液に対して感光材料を浸漬して引き上げる動作を繰り返すように、連続したＳ字状の搬送経路を構成しており、感光材料の搬送距離を長くして現像処理に必要な処理時間を確保するようになっている。即ち、該搬送手段は、最適な現像処理を行うための処理時間を確保できるように、現像処理液内での感光材料の搬送距離と搬送スピードとが設定されている。
【０００４】
前記外部搬送手段は、感光材料の搬送方向に間隔をおいて配設された複数の搬送ローラ対を基本構成とし、液中搬送手段によって搬送されてきた感光材料を下流側（下流側に配設された液中搬送手段）に向けて搬送するように構成されている。
【０００５】
前記液中搬送手段は、図７に示す如く、現像処理液槽１００の上部から下部に向けて感光材料Ｐを搬送する上流側搬送経路Ａと現像処理液槽１００の下部から上部に向けて感光材料Ｐを搬送する下流側搬送経路Ｂとを構成した垂直搬送部１０１と、上流側搬送経路Ａから搬送されてきた感光材料Ｐを下流側搬送経路Ｂに向けて送り出すべく、感光材料ＰをＵターンさせつつ（搬送方向を切り換えつつ）搬送するターン部１０２とで構成されている。
【０００６】
前記垂直搬送部１０１は、前記外部搬送手段と同様に、複数の搬送ローラ対１０３ａ，１０３ｂを基本構成とし、これらで上流側及び下流側搬送経路Ａ，Ｂを構成している。一方、ターン部１０２は、搬送ローラ対でＵ字状の搬送経路を構成すると下流側の搬送ローラ対に乗り移るに際して搬送ローラに感光材料が接触し、感光材料の先端部や乳剤面上の画像を傷めるとして、軸心回りで回転するターンローラ１０４と、外周面の一部をターンローラ１０４の外周面に圧接させ、ターンローラ１０４と共に周回する無端環状のターンベルト１０５とで構成されている。
【０００７】
前記ターンベルト１０５は、ゴム等によって平ベルト状に構成されており、該ターン部１０２は、ターンローラ１０４及びターンベルト１０５により感光材料Ｐを面圧着し、ターンローラ１０４を回転させると共にターンベルト１０５を周回させることで、感光材料Ｐをターンローラ１０４の外周面に巻き付けた態様でターンさせつつ搬送（圧着搬送）するようになっている。このようにターン部１０２を構成することで、複数の搬送ローラ対でＵ字状の搬送経路を構成したときのように搬送ローラ対の乗り移りがなく感光材料Ｐや画像が傷むのを防止できるようになっている（特許文献１参照）。
【特許文献１】特願平１０−３７６５１号公報
【発明の開示】
【発明が解決しようとする課題】
【０００８】
ところで、上記構成の現像処理装置は、単体で設置されたり、感光材料に露光処理を施す露光処理装置と共に写真処理装置として設置されたりするが、設置スペースに制限される場合があり小型化の要求がある。また、この要求に併せて現像処理時間の短縮の要求もある。
【０００９】
しかしながら、高品質の写真プリントを得るには、現像条件（例えば、現像処理に要する処理時間（感光材料の搬送距離及び搬送スピード）を遵守する必要がある上に、要求される処理能力を満足させる必要があるため、直ちに現像処理液槽を小さくしたり、感光材料の搬送距離を短くしたりすることができず、高品質な写真プリントを得ることができる現像条件を満足させることを前提にして装置全体を小型化するのに限界があった。特に、上述のように、ターン部１０２をターンローラ１０４と平ベルト状のターンベルト１０５とで構成して感光材料Ｐを圧着搬送すると、当該部分で感光材料Ｐの乳剤面に現像処理液が触れないため、その他の搬送経路Ａ，Ｂ上で十分な反応（現像）を行える搬送距離を確保しなければならず、装置の小型化は勿論のこと現像処理時間の短縮を図ることができないといった問題があった。
【００１０】
そこで、本発明は、斯かる実情に鑑み、現像処理液中で感光材料をターンさせつつ搬送しても感光材料を傷めることなく、高品質な写真プリントを得ることができ、装置の小型化と現像処理時間の短縮とを図ることができる現像処理装置を提供することを課題とする。
【課題を解決するための手段】
【００１１】
本発明に係る現像処理装置は、露光処理された感光材料を現像処理すべく、現像処理液中で感光材料を搬送する液中搬送手段を備え、該液中搬送手段は、軸心回りで回転するターンローラと、外周面の一部をターンローラの外周面に圧接させ、前記ターンローラと共に周回する無端環状のターンベルトとを備え、前記ターンローラ及びターンベルトにより感光材料をターンさせつつ圧着搬送するように構成された現像処理装置において、ターンローラ及びターンベルトのうち、少なくとも感光材料の乳剤面に圧接する何れか一方の外周に吸水体が設けられていることを特徴とする。
【００１２】
かかる現像処理装置によれば、感光材料を圧着搬送するターンローラ及びターンベルトのうち、少なくとも感光材料の乳剤面に圧接する何れか一方の外周に吸水体が設けられているので、現像処理液中で感光材料をターンさせつつ圧着搬送する間においても、吸水体中の現像処理液によって感光材料の乳剤面（乳剤）の反応を促進することができる。従って、感光材料をターンさせるに際しても現像処理する（反応させる）ことができるので、現像処理液中において当該部分以外での感光材料の搬送距離を短くすることができる。これにより、該現像処理装置における現像処理液中での全体の搬送距離を短くすることができ、装置全体の小型化は勿論のこと、現像処理時間の短縮を図ることができる。
【００１３】
また、感光材料はターンローラとターンベルトとによって全面が挟まれた状態となるので、当該感光材料は勿論のこと、該感光材料の乳剤面上に形成される画像を傷めることなく搬送することができる。さらに、液中搬送手段（ターンローラ及びターンベルト）は、吸水体全体が現像処理液に浸漬状態にあるので、吸水体中の現像処理液と周囲の現像処理液とを交換させることができ、感光材料を圧着搬送するに際し、新たな現像処理液を乳剤面に付着させて高品質な現像処理を行うことができる。
【００１４】
本発明の一態様として、前記液中搬送手段は、乳剤面をターンベルト側に位置させた感光材料を搬送するように構成され、前記ターンベルトは、メッシュ材からなる基材と、該基材の外周面上に設けられた前記吸水体とで構成されてもよい。このようにすれば、吸水体がメッシュ材からなる基材の穴を介して新鮮な現像処理液に触れる（吸水する）ことができ、吸水体中の現像処理液（乳剤と反応した現像処理液）と新鮮な現像処理液との交換を効率的に行うことができる。
【００１５】
また、本発明の他態様として、前記液中搬送手段は、乳剤面をターンローラ側に位置させた感光材料を搬送するように構成され、前記ターンローラは、筒状の芯体と、該芯体の外周面上に設けられた前記吸水体とで構成され、前記芯体には、内外を連通させる複数の貫通孔が穿設されてもよい。このようにすれば、吸水体が複数の貫通孔を介して芯体内に入り込んだ新鮮な現像処理液に触れる（吸水する）ことができ、吸水体中の現像処理液（乳剤と反応した現像処理液）と新鮮な現像処理液との交換を効率的に行うことができる。
【００１６】
さらに、前記吸水体が柔軟な発泡材料から構成されると共に、該吸水体を押圧して軸心回りで回転するスクイズローラを少なくとも一つ以上備えていることが好ましい。このようにすれば、吸水体がスクイズローラによって押圧された部分が変形し、当該部分に含まれていた現像処理液が強制的に押し出される。そして、ターンローラの回転又はターンベルトの周回により、吸水体に対するスクイズローラの押圧位置が相対的に変移することになり、押圧によって変形していた部分が復元して新たな現像処理液が吸水されることになる。従って、吸水体中の現像処理液を常に新たなものにすることができ、より良質な現像処理を行うことができる。また、スクイズローラは、軸心回りで回転自在に構成されているので、ターンローラ又はターンベルトが回転（周回）するに際して従動回転し、押圧している吸水体を傷めるのを防止することができる。
【発明の効果】
【００１７】
以上のように、本発明の現像処理装置によれば、現像処理液中で感光材料をターンさせつつ搬送しても感光材料を傷めることなく、高品質な写真プリントを得ることができ、装置の小型化と現像処理時間の短縮とを図ることができるという優れた効果を奏し得る。
【発明を実施するための最良の形態】
【００１８】
以下、本発明の第一実施形態に係る現像処理装置について、添付図面を参照しつつ説明する。なお、本実施形態においては、感光材料に露光処理を施す露光処理装置と共に現像処理装置を一体的に構成した写真処理装置を一例にして説明することとする。
【００１９】
本実施形態に係る写真処理装置は、図１及び図２に示す如く、該写真処理装置の全体の制御を行う制御部１と、制御部１からの指示に基づき、感光材料Ｐに露光処理を行う露光処理装置２と、露光処理装置２で露光処理された感光材料Ｐを現像処理する現像処理装置３と、現像処理装置３で現像処理された感光材料Ｐを乾燥処理する乾燥処理装置４とを備えている。
【００２０】
該制御部１は、各処理の状況や操作案内等を表示するモニター１０と、該モニター１０の表示に基づいて入力操作を行うための入力手段１１と、画像データを読み取る読取手段１２と、各種制御を行う演算処理装置１３とを備えている。
【００２１】
前記モニター１０には、ブラウン管モニターや液晶モニター等を採用することができ、本実施形態においてはブラウン管モニターが採用されている。前記入力手段１１には、キーボード１１０とマウス１１１とが採用されている。
【００２２】
本実施形態に係る読取手段１２には、帯状のフィルムＦに形成された複数の駒画像を画像データとして読み取るフィルムスキャナ１２０と、ＣＤ−Ｒ／ＲＷやメモリカード等の各種メディアＭからデータ（例えば、画像データ）を読み込むメディアドライブ１２１とが採用されている。前記フィルムスキャナ１２０は、フィルムＦを長手方向に搬送しつつ、フィルムＦから各駒画像を画像データとして順々に読み取るようになっており、読み取った各画像データを演算処理装置１３に伝送するようになっている。
【００２３】
前記演算処理装置１３は、制御の主体となるＣＰＵ１３０や、当該演算処理装置１３（ＣＰＵ１３０）を作動させるソフトウェア等を記憶したＲＯＭ１３１、ＣＰＵ１３０がソフトウェアを実行する際の作業領域や、一時的なファイルの記憶領域等に活用されるＲＡＭ１３２等から構成されている。該演算処理装置１３には、Ｉ／Ｏインターフェイス１３３を介してモニター１０、入力手段１１（キーボード１１０、マウス１１１）、フィルムスキャナ１２０、メディアドライブ１２１等が接続されている。
【００２４】
前記露光処理装置２は、ロール状にされた長尺な感光材料Ｐを収納する一対のマガジン２０，２０と、マガジン２０，２０から引き出された感光材料Ｐを所定の長さで切断する切断装置２１と、該切断装置２１により切断されて搬送されてきた枚葉状の感光材料Ｐを露光処理する露光装置２２とで構成されている。なお、本実施形態に係る露光処理装置２は、各構成間に搬送ローラ対（採番しない。）が配設されており、マガジン２０，２０から引き出された感光材料Ｐを下流側（前記現像処理装置３）に搬送できるように構成されている。
【００２５】
前記一対のマガジン２０，２０のそれぞれは、乳剤面を外側にしてロール状に巻かれた長尺な感光材料Ｐ（ロール紙）を軸支可能に構成され、感光材料Ｐを円滑に引き出せるようになっている。前記切断装置２１は、マガジン２０，２０から引き出された感光材料Ｐを切断すべく、互いに接離する一対のカッター（採番しない。）を備えている。
【００２６】
前記露光装置２２は、上流側（切断手段２１）側から搬送されてくる感光材料Ｐの乳剤面を露光する露光ヘッド２２０を備えている。露光ヘッド２２０は、ハロゲンランプ等からなる光源２２１と、該光源２２１に光ファイバー束２２２を介して接続された光シャッター２２３とで構成されており、該光シャッター２２３は、感光材料Ｐの搬送方向と直交したライン状をなし、搬送される感光材料Ｐの乳剤面と対向するように設けられている。
【００２７】
前記光シャッター２２３は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター２２３は、読取手段１２（フィルムスキャナ１２０，メディアドライブ１２１）によって読み込まれた画像データに基づいて、制御部１のＣＰＵ１３０から電圧の印加、及び印加の停止が指示され、光源２２１からの光の透過及び遮断が制御されて感光材料ＰにＲＧＢ各色の光を照射して露光し得るように構成されている。なお、本実施形態においては、光シャッター２２３等を備えた露光ヘッド２２０を採用しているが、レーザー光を照射するレーザー露光ヘッドであっても勿論よい。
【００２８】
前記現像処理装置３は、現像処理液Ｗが貯留される現像処理液槽３０と、該現像処理液槽３０内の現像処理液Ｗに対して感光材料Ｐを浸漬して引き上げる動作を繰り返すように、連続したＳ字状の搬送経路上で感光材料Ｐを搬送する搬送手段３１とを備えている。
【００２９】
前記現像処理液槽３０は、図３に示す如く、複数の液槽３０ａ，３０ｂ，３０ｃ…が横並びに配置されることで構成されている。各液槽３０ａ，３０ｂ，３０ｃ…には、感光材料Ｐに対して現像処理、漂白処理、定着処理、安定処理を行うための現像処理液Ｗが貯留されている。即ち、各液槽３０ａ，３０ｂ，３０ｃ…には、上流側から順に現像液（ＣＤ）、漂白・定着液（ＢＦ）、安定液（ＳＴ）、洗浄液が貯留されている。
【００３０】
前記搬送手段３１は、現像処理液槽３０（各液槽３０ａ，３０ｂ，３０ｃ…）の現像処理液Ｗ（現像液、漂白・定着液、安定液、洗浄液）中で感光材料Ｐを搬送する液中搬送手段３２と、該液中搬送手段３２から搬送されてきた感光材料Ｐを液外で搬送する外部搬送手段３３とで構成され、該液中搬送手段３２及び外部搬送手段３３により、前記Ｓ字状の搬送経路を形成している。
【００３１】
前記液中搬送手段３２は、前記現像処理液槽３０を構成する各液槽３０ａ，３０ｂ，３０ｃ…毎に設けられ、液槽３０ａ，３０ｂ，３０ｃ…内で感光材料Ｐを垂直方向（上下方向）に搬送する垂直搬送部３２０と、該垂直搬送部３２０（後述する上流側搬送経路Ａ）から搬送されてくる感光材料Ｐを、Ｕ字状にターンさせつつ（搬送方向を切り換えつつ）搬送するターン部３２１とで構成されている。
【００３２】
前記垂直搬送部３２０は、複数の搬送ローラ対３２０ａ，３２０ｂで構成されている。具体的には、垂直搬送部３２０は、上下方向に間隔をおいて配設された複数のメインローラ３２０ａと、各メインローラ３２０ａに対して圧接して配置された複数のサブローラ３２０ｂとで構成されている。前記サブローラ３２０ｂは、メインローラ３２０ａ一つに対して二つ設けられており、二つのサブローラ３２０ｂは、水平方向でメインローラ３２０ａを挟むように配置されている。これにより、該垂直搬送部３２０は、上流側から搬送されてくる感光材料Ｐを液槽３０ａ，３０ｂ，３０ｃ…の上部から下部に向かって搬送する上流側搬送経路Ａと、液槽３０ａ，３０ｂ，３０ｃ…の下部から上部に向かって搬送する下流側搬送経路Ｂとを形成している。
【００３３】
前記ターン部３２１は、図４に示す如く、前記上流側搬送経路Ａから送り込まれる感光材料Ｐをターン（Ｕターン）させつつ搬送し、下流側搬送経路Ｂに送り出すように構成されている。具体的には、本実施形態に係るターン部３２１は、軸心回りで回転するターンローラ３２２ａと、外周面の一部をターンローラ３２２ａの外周面に圧接させ、ターンローラ３２２ａと共に周回する無端環状のターンベルト３２３ａとを備え、ターンローラ３２２ａ及びターンベルト３２３ａの回転（周回）によって感光材料Ｐを圧着搬送するように構成されている。
【００３４】
前記ターンローラ３２２ａは、前記メインローラ３２０ａと略同径に設定され、軸心がメインローラ３２０ａの軸心と略平行となるように、該メインローラ３２０ａの略真下に設けられている。本実施形態に係るターンローラ３２２ａは、中空のローラが採用されており、両端部に液槽３０ａ，３０ｂ，３０ｃ…内に装着されるフレーム（図示しない）に枢着される軸部（図示しない。）を備えている。
【００３５】
前記ターンベルト３２３ａは、無端環状をなし、外周面（後述する吸水体３２４ａ）における周回方向の一部がターンローラ３２２ａの外周面の下半分に密接するように、複数のプーリー３２７ａ，３２７ｂ，３２７ｃに巻き掛けられている。これにより、該ターンベルト３２３ａは、ターンローラ３２２ａに圧接する部分が該ターンローラ３２２ａの外周形状に即してＵ字状をなしている。本実施形態において、該ターンベルト３２３ａは、プーリー３２７ａ，３２７ｂ，３２７ｃの配置位置が調整されてテンションが付加され、ターンローラ３２２ａに圧接している。
【００３６】
本実施形態に係る写真処理装置は、現像処理装置３に到達した感光材料Ｐの乳剤面がターンベルト３２３ａ側（外側）に向くような搬送経路を構成しており、これに伴って、前記液中搬送手段３２（ターン部３２１）は、乳剤面をターンベルト３２３ａ側に向けた感光材料Ｐを下流側に搬送することを前提にして構築されている。
【００３７】
この前提を基に、本実施形態にかかるターン部３２１は、搬送する感光材料Ｐの乳剤面側に位置するターンベルト３２３ａに、現像処理液Ｗを吸水可能とした吸水体３２４ａが設けられている。即ち、本実施形態に係るターンベルト３２３ａは、感光材料Ｐの乳剤面に圧接する外周に吸水体３２４ａが設けられている。
【００３８】
具体的には、本実施形態に係るターンベルト３２３ａは、線材を網状に織ったメッシュ材からなる基材３２４ａ’と、該基材３２４ａ’の外周に設けられた前記吸水体３２４ａとで構成されている。
【００３９】
前記基材３２４ａ’は、帯状をなすメッシュ材の両端同士を接続して無端環状に形成されている。前記吸水体３２４ａは、前記基材３２４ａ’の外周全面に設けられ、前記基材３２４ａ’と積層構造をなしている。これにより、前記基材３２４ａ’の穴（網目）を介して現像処理液Ｗが流通可能となり、ターンベルト３２３ａ（基材３２４ａ’）の内周面側からも吸水体３２４ａが現像処理液Ｗを放出可能且つ吸水可能になっている。
【００４０】
本実施形態に係る液中搬送手段３２は、吸水体３２４ａに吸水性に優れた柔軟な発泡材料（スポンジ）が採用されている。更に、本実施形態に係る液中搬送手段３２は、吸水体３２４ａに吸水された現像処理液Ｗを強制的に交換するためのスクイズローラ３２６ａを備えている。
【００４１】
該スクイズローラ３２６ａは、基材３２４ａ’上の吸水体３２４ａを所定箇所で押圧するように、軸心をプーリー３２７ａ，３２７ｂ，３２７ｃの軸心に対して略平行となるように設けられている。本実施形態に係るスクイズローラ３２６ａは、ターンベルト３２３ａの周回方向において感光材料Ｐを圧着する領域（ターンローラ３２２ａに圧接した領域）に対して上流側に設けられており、感光材料Ｐに圧接する前に吸水体３２４ａ内の現像処理液Ｗを新たなものに交換するようになっている。
【００４２】
ここで吸水体３２４ａ内の現像処理液Ｗの交換作用について説明すると、上述の如く、スクイズローラ３２６ａは、所定箇所で吸水体３２４ａを部分的に押圧するように設けられているため、当該押圧部分の吸水体３２４ａは基材３２４ａ’側に押し潰された状態となり、吸水体３２４ａに含まれた現像処理液Ｗが強制的に押し出される（絞り出される）ことになる。そして、ターンベルト３２３ａの周回に伴って、吸水体３２４ａのスクイズローラ３２６ａによって押圧されていた部分が移動し、押圧状態が解除される。そうすると、押し潰されていた吸水体３２４ａが自己の復元力によって元の状態に戻ると共に周辺の現像処理液Ｗを吸水し、吸水体３２４ａ内の現像処理液Ｗが交換されることになる。そして、ターンベルト３２３ａは、連続的に周回するため、吸水体３２４ａの押し潰しと復元とがターンベルト３２３ａの全周に亘って連続的に行われ、吸水体３２４ａに対する現像処理液Ｗの交換が連続的に行われる。
【００４３】
本実施形態においては、ターンベルト３２３ａが、周回する際に生じる引っ張り等でターンローラ３２２ａから離間するのを防止すべく、ターンベルト３２３ａの内周面側に該ターンベルト３２３ａをターンローラ３２２ａに当接させる複数のガイドローラ３２８…が、ターンローラ３２２ａの周方向に間隔を有して配設されている。
【００４４】
該複数のガイドローラ３２８…は、ターンベルト３２３ａをターンローラ３２２ａに押し付ける（前記吸水体３２４ａを変形させる押し付け力が作用する）ように設けられており、上記スクイズローラ３２６ａと同様に機能するようになっている。即ち、各ガイドローラ３２８…は、ターンベルト３２３ａを内周面側から押すことで、基材３２４ａ’を介して吸水体３２４ａを変形させて現像処理液Ｗを押し出し、ターンベルト３２３ａの周回による押圧部分の変移に伴う吸水体３２４ａの復元により、吸水体３２４ａが周囲の現像処理液Ｗを吸水し、感光材料Ｐを圧着搬送している状態においても吸水体３２４ａに対する現像処理液Ｗの交換を強制的に行えるようになっている。
【００４５】
これにより、本実施形態に係るターン部３２１は、吸水体３２４ａが感光材料Ｐの乳剤面に接触する前から接触している間の全て期間において、当該吸水体３２４ａ内の現像処理液Ｗが強制的に交換できるように構成され、圧着搬送状態での乳剤面の反応効率を高めると共に、現像処理の高品質化を図るようにしている。
【００４６】
図３に戻り、前記外部搬送手段３３は、複数の搬送ローラ対（採番しない。）と、各搬送ローラ対間に配設されたガイド体（採番しない。）とで構成されている。該外部搬送手段３３は、液槽３０ａ，３０ｂ，３０ｃ…の外部において各液槽３０ａ，３０ｂ，３０ｃ…間に配置されており、各液槽３０ａ，３０ｂ，３０ｃ…内に設けられた液中搬送手段３２の下流側搬送経路Ｂから感光材料Ｐを受け取り、該感光材料Ｐを下流側の液中搬送手段３２の上流側搬送経路Ａに送り込むように、逆Ｕ字状の搬送経路を形成している。このように液中搬送手段３２と外部搬送手段３３とを連続させることにより、本実施形態に係る現像処理装置３は、上流側から下流側に向けて連続したＳ字状の搬送経路を構成している。
【００４７】
図２に戻り、前記乾燥処理装置４は、現像処理装置３から送られてきた感光材料Ｐに熱風を吹き付け、該感光材料Ｐに付着した現像処理液Ｗ（水分）を乾燥させるようになっている。なお、本実施形態に係る写真処理装置は、乾燥処理装置４で乾燥処理された感光材料Ｐを仕分ける仕分装置５を備えており、順次搬送されてくる枚葉状の感光材料Ｐをサイズ別、或いはオーダー別に仕分けて回収できるようになっている。
【００４８】
本実施形態に係る写真処理装置は、以上の構成からなり、次に該写真処理装置の作動について説明する。なお、露光処理装置２による露光処理は、一般的な処理であるので、ここでの説明は割愛し、現像処理装置３での現像処理について言及することとする。
【００４９】
露光処理装置２で露光処理された感光材料Ｐが現像処理装置３に送り込まれてくると、該感光材料Ｐは、外部搬送手段３３を介して液槽３０ａ，３０ｂ，３０ｃ…内の現像処理液Ｗ内に導かれることになる。そうすると、液中搬送手段３２（垂直搬送部３２０）の上流側搬送経路Ａで感光材料Ｐが液槽３０ａ，３０ｂ，３０ｃ…の上部から下部に向けて搬送される。この際、メインローラ３２０ａとサブローラ３２０ｂとで構成された複数の搬送ローラ対間で感光材料Ｐ（乳剤）が現像処理液Ｗに触れ、下流側に搬送されるにつれて乳剤面の反応が進むことになる。
【００５０】
そして、図４に示す如く、感光材料Ｐは、上流側搬送経路Ａからターン部３２１に送り込まれ、先端側から順にターンベルト３２３ａとターンローラ３２２ａとに圧着され、乳剤面がターンベルト３２３ａの吸水体３２４ａに接触し、この状態を維持したままＵターンしつつ下流側（下流側搬送経路Ｂ）に向けて搬送される。乳剤面に接触している吸水体３２４ａは、上述の如く、スクイズローラ３２６ａによる押し潰し（変形）乃至自己の復元力により、新たな現像処理液Ｗを予め含んでいるため、感光材料Ｐの圧着当初（先端部を圧着した状態）から感光材料Ｐの乳剤面の反応が促進される。また、ターンローラ３２２ａと共に感光材料を圧着している部分については、ガイドローラ３２８…による吸水体３２４ａの押し潰し（変形）乃至自己の復元力により、吸水体３２４ａ内の現像処理液Ｗが連続的に交換されているので、圧着搬送状態においても乳剤面に新鮮な現像処理液Ｗを触れることになり、乳剤面の反応が更に促進することになる。
【００５１】
なお、吸水体３２４ａが現像処理液Ｗ中に浸漬状態にあることから、ターンベルト３２３ａが周回することにより、吸水体３２４ａの表層に現像処理液Ｗが付着乃至吸水等させることができ、吸水体３２４ａの表層の現像処理液Ｗでも乳剤面を十分に反応させることができるが、先行の感光材料Ｐの乳剤面と反応した現像処理液Ｗが吸水体３２４ａ内に残存すると、長時間の現像処理を行うに際し、感光材料Ｐの乳剤面との反応が鈍化する傾向になる。そのため、本実施形態においては、上述の如く、スクイズローラ３２６ａやガイドローラ３２８…によって吸水体３２４ａ内の現像処理液Ｗを強制的に交換することで、長時間に亘って現像処理を行っても液槽３０ａ，３０ｂ，３０ｃ…内で拡散されて一新された現像処理液と乳剤面とを反応させることができるようにしている。
【００５２】
そして、感光材料Ｐは、ターン部３２１から垂直搬送部３２０の下流側搬送経路Ｂに順次送り出され、液槽３０ａ，３０ｂ，３０ｃ…内の下部から上部に向かって搬送されることになる。そして、垂直搬送部３２０に送り込まれた感光材料Ｐは、下流側搬送経路Ｂ上で搬送され、上流側搬送経路Ａで搬送されるときと同様に、メインローラ３２０ａとサブローラ３２０ｂとで構成される複数の搬送ローラ対間で乳剤面と現像処理液Ｗとが触れて反応が進むことになる。そして、下流側搬送経路Ｂから送り出された感光材料Ｐは、外部搬送手段３３に受け渡され、下流側の液中搬送手段３２に向けて搬送されることになる。
【００５３】
このように感光材料Ｐは、液中搬送手段３２と外部搬送手段３３との受け渡しが繰り返されることで、現像処理液Ｗに対する浸漬及び引き上げが繰り返され、これに伴って乳剤の反応が進行することになる。
【００５４】
そして、現像処理装置３で現像処理を終えた感光材料Ｐは、乾燥処理装置４に送られて付着した水分を乾燥させた後、仕分装置５によってオーダー毎、或いはサイズ毎に仕分けられ、一連の処理が完了する。
【００５５】
以上のように、本実施形態に係る写真処理装置（現像処理装置３）は、ターン部３２１において、吸水体３２４ａ中の現像処理液Ｗによって感光材料Ｐの乳剤面の反応を促進することができる。これにより、現像処理に必要な搬送距離（特には、垂直搬送部３２０での搬送距離）を短くすることができるので、現像処理液槽３０を小型化して当該現像処理装置３全体を小型化することができる。また、ターン部３２１で乳剤面を反応させることで、垂直搬送部３２０での反応時間を短縮することができ、その結果、感光材料Ｐに対する現像処理の全体処理時間（搬送時間）を短縮することができる。
【００５６】
さらに、ターン部３２１において、ターンローラ３２２ａとターンベルト３２３ａ（柔軟な吸水体３２４ａ）とによって感光材料Ｐの全面を圧着した状態で搬送するように構成されているので、感光材料Ｐの搬送方向を切り換えるに際して感光材料Ｐは勿論のこと、該感光材料Ｐの乳剤面上に形成される画像を傷めることも防止できる。
【００５７】
また、本実施形態においては、ターンベルト３２３ａの基材３２４ａ’をメッシュ材で構成したので、現像処理液Ｗが交換されるに際し、吸水体３２４ａの表面からだけでなく、網目を介して基材３２４ａ’側からも現像処理液Ｗの交換を行うことができ、現像処理液Ｗの交換効率を高めることができる。さらに、吸水体３２４ａをスポンジで構成したので、復元力や吸水効率が高い上に、スクイズローラ３２６ａで大きな押圧力を作用させなくても内部の現像処理液Ｗを効率よく放出させることができ、これによっても現像処理液Ｗの交換効率を高めることができる。
【００５８】
また、本実施形態においては、スクイズローラ３２６ａを設けたので、吸水体３２４ａ内に先行する感光材料Ｐの乳剤面と反応した現像処理液Ｗを押し出して液槽３０ａ，３０ｂ，３０ｃ…内で一新された現像処理液Ｗを吸水させるようにしたので、後続の感光材料Ｐの乳剤面に対する反応の鈍化を防止することができる。その上、現像処理液Ｗの粘性や現像処理液Ｗとターンベルト３２３ａ（吸水体３２４ａ）の外周面との抵抗等の作用により、ターンベルト３２３ａ（吸水体３２４ａ）と現像処理液Ｗとの間に境界層が形成され、吸水体３２４ａ自身による現像処理液Ｗの交換作用（吸水機能）が低下しても、スクイズローラ３２６ａを設けることで現像処理液Ｗを強制的に交換することができる。
【００５９】
さらに、本実施形態においては、ターンベルト３２３ａを支えるガイドローラ３２８…をスクイズローラとして機能させるようにしたので、感光材料Ｐが圧着搬送される間においても吸水体３２４ａに対する現像処理液Ｗの交換が可能となり、圧着部分での反応をよりいっそう促進させることができる。このように吸水体３２４ａに対する現像処理液Ｗの交換を重視した本実施形態に係る現像処理装置３は、ターン部３２１で高品質な現像処理を行うことができる。
【００６０】
次に、本発明の第二実施形態に係る写真処理装置（現像処理装置３）について説明する。本実施形態に係る写真処理装置は、上記第一実施形態と基本的な構成が共通しているので、以下の説明において、第一実施形態の構成と同一の構成、又は第一実施形態の構成に相当する構成については同一名称及び同一符号を付して説明を割愛し、第一実施形態と異にする構成（主として現像処理装置３のターン部３２１）について説明することとする。
【００６１】
本実施形態に係る写真処理装置は、マガジン２０，２０には、乳剤面を内側にしてロール状に巻かれた感光材料Ｐを収納するようになっている。そのため、マガジン２０，２０から引き出した感光材料Ｐの乳剤面を露光できるように、露光装置２２の配置等が第一実施形態の配置から変更されている。
【００６２】
そのため、本実施形態に係る写真処理装置は、図５及び図６に示す如く、第一実施形態とは異なり、現像処理装置３に到達した感光材料Ｐの乳剤面がターンローラ３２２ｂ側（外側）に向くような搬送経路を構成しており、これに伴って、液中搬送手段３２（ターン部３２１）は、乳剤面をターンローラ３２２ｂ側に向けた感光材料Ｐを下流側に搬送することを前提にして構築されている。
【００６３】
本実施形態に係るターン部３２１は、第一実施形態と同様に、前記上流側搬送経路Ａから送り込まれる感光材料Ｐをターン（Ｕターン）させつつ搬送し、下流側搬送経路Ｂに送り出すように構成されている。具体的には、本実施形態に係るターン部３２１は、軸心回りで回転するターンローラ３２２ｂと、外周面の一部をターンローラ３２２ｂの外周面に圧接させ、ターンローラ３２２ｂと共に周回する無端環状のターンベルト３２３ｂとを備え、ターンローラ３２２ｂ及びターンベルト３２３ｂの回転（周回）によって感光材料Ｐを圧着搬送するように構成されている。
【００６４】
前記ターンローラ３２２ｂは、軸心がメインローラ３２０ａの軸心と略平行となるように、該メインローラ３２０ａの略真下に設けられている。本実施形態に係るターンローラ３２２ｂは、外径がメインローラ３２０ａと略同径となるように、外周に現像処理液Ｗを吸水可能に構成された吸水体３２４ｂが設けられている。
【００６５】
具体的には、本実施形態に係るターンローラ３２２ｂは、筒状の芯体３２４ｂ’と、該芯体３２４ｂ’の外周に設けられた前記吸水体３２４ｂとで構成されている。前記芯体３２４ｂ’は、内部と外部とを連通させる複数の貫通孔３２５…が穿設され、該貫通孔３２５…を介して内部と吸水体３２４ｂとの間で現像処理液Ｗが流通可能に構成されている。
【００６６】
該ターンローラ３２２ｂは、現像処理液槽３０（液槽３０ａ，３０ｂ，３０ｃ…）内に装着されるフレーム（図示しない。）、又は、液槽３０ａ，３０ｂ，３０ｃ…に対して着脱可能なラック（図示しない。）に前記芯体３２４ｂ’の両端部が枢着されている。なお、ターンローラ３２２ｂ（芯体３２４ｂ’）は、内部への現像処理液Ｗの流入が阻害されないように、両端部に前記フレーム又はラックに枢着される軸部が設けられている。
【００６７】
本実施形態に係る液中搬送手段３２は、吸水体３２４ｂに吸水性に優れた柔軟な発泡材料（スポンジ）が採用されている。更に、本実施形態に係る液中搬送手段３２は、該吸水体３２４ａに吸水された現像処理液を強制的に交換するためのスクイズローラ３２６ｂを備えている。
【００６８】
該スクイズローラ３２６ｂは、芯体３２４ｂ’上の吸水体３２４ｂを所定箇所で押圧するように、軸心をターンローラ３２２ｂの軸心に対して略平行となるように設けられている。本実施形態に係るスクイズローラ３２６ｂは、ターンローラ３２２ｂの回転方向において感光材料Ｐを圧着する領域（ターンベルト３２３ｂに圧接する領域）に対して上流側に設けられており、感光材料Ｐに圧接する前に吸水体３２４ｂ内の現像処理液Ｗを新たなものに交換するようになっている。
【００６９】
ここで本実施形態における吸水体３２４ｂ内の現像処理液Ｗの交換作用について説明すると、上述の如く、スクイズローラ３２６ｂは、所定箇所で吸水体３２４ｂを部分的に押圧するように設けられているため、当該押圧部分の吸水体３２４ｂは芯体３２４ｂ’側に押し潰された状態となり、吸水体３２４ｂに含まれた現像処理液Ｗが強制的に押し出される（絞り出される）ことになる。そして、ターンローラ３２２ｂの回転に伴って、吸水体３２４ｂのスクイズローラ３２６ｂによって押圧されていた部分が移動して押圧状態が解除される。そうすると、押し潰されていた吸水体３２４ｂが自己の復元力によって元の状態に戻ると共に周辺の現像処理液Ｗを吸水し、吸水体３２４ｂ内の現像処理液Ｗが交換されることになる。そして、ターンローラ３２２ｂは、連続的に回転するため、吸水体３２４ｂの押し潰しと復元とがターンローラ３２２ｂの全周に亘って連続的に行われ、吸水体３２４ｂに対する現像処理液Ｗの交換が連続的に行われる。
【００７０】
前記ターンベルト３２３ｂは、平ベルトを無端環状に構成したもので、外周面における周回方向の一部がターンローラ３２２ｂの外周面の下半分に密接するように、複数のプーリー３２７ａ，３２７ｂ，３２７ｃに巻き掛けられている。これにより、該ターンベルト３２３ｂは、ターンローラ３２２ｂに圧接する部分が該ターンローラ３２２ｂの外周形状に即してＵ字状をなしている。本実施形態において、該ターンベルト３２３ｂは、プーリー３２７ａ，３２７ｂ，３２７ｃの配置位置が調整されてテンションが付加され、ターンローラ３２２ｂに圧接している。
【００７１】
該ターンベルト３２３ｂは、周回する際に生じる引っ張り等でターンローラ３２２ｂから離間するのを防止すべく、ターンローラ３２２ｂ回りに間隔を有して配設された複数のガイドローラ３２８…により支持されている。
【００７２】
次に、本実施形態に係る写真処理装置（現像処理装置３）の作動について説明すると、第一実施形態と同様に、露光処理装置２で露光処理された感光材料Ｐが現像処理装置３に送り込まれてくると、該感光材料Ｐは、外部搬送手段３３を介して液槽３０ａ，３０ｂ，３０ｃ…内の現像処理液Ｗ内に導かれることになる。そうすると、液中搬送手段３２（垂直搬送部３２０）の上流側搬送経路Ａで感光材料Ｐが液槽３０ａ，３０ｂ，３０ｃ…の上部から下部に向けて搬送される。この際、メインローラ３２０ａとサブローラ３２０ｂとで構成された複数の搬送ローラ対間で感光材料Ｐ（乳剤）が現像処理液Ｗに触れ、下流側に搬送されるにつれて乳剤面の反応が進むことになる。
【００７３】
そして、感光材料Ｐは、上流側搬送経路Ａからターン部３２１に送り込まれ、先端側から順にターンベルト３２３ｂとターンローラ３２２ｂとに圧着され、乳剤面がターンローラ３２２ｂの吸水体３２４ｂに接触し、この状態を維持したままＵターンしつつ下流側（下流側搬送経路Ｂ）に向けて搬送される。乳剤面に接触している吸水体３２４ｂは、上述の如く、スクイズローラ３２６ｂによる押し潰し（変形）乃至自己の復元力により、新たな現像処理液Ｗを予め含んでいるため、感光材料Ｐの圧着当初（先端部を圧着した状態）から感光材料Ｐの乳剤面の反応が促進される。
【００７４】
そして、感光材料Ｐは、ターン部３２１から垂直搬送部３２０の下流側搬送経路Ｂに順次送り出され、液槽３０ａ，３０ｂ，３０ｃ…内の下部から上部に向かって搬送されることになる。そして、垂直搬送部３２０に送り込まれた感光材料Ｐは、下流側搬送経路Ｂ上で搬送され、上流側搬送経路Ａで搬送されるときと同様に、メインローラ３２０ａとサブローラ３２０ｂとで構成される複数の搬送ローラ対間で乳剤面と現像処理液Ｗとが触れて反応が進むことになる。そして、下流側搬送経路Ｂから送り出された感光材料Ｐは、外部搬送手段３３に受け渡され、下流側の液中搬送手段３２に向けて搬送されることになる。
【００７５】
このように感光材料Ｐは、液中搬送手段３２と外部搬送手段３３との受け渡しが繰り返されることで、現像処理液Ｗに対する浸漬及び引き上げが繰り返され、これに伴って乳剤の反応が進行することになる。
【００７６】
そして、現像処理装置３で現像処理を終えた感光材料Ｐは、乾燥処理装置４に送られて付着した水分を乾燥させた後、仕分装置５によってオーダー毎、或いはサイズ毎に仕分けられ、一連の処理が完了する。
【００７７】
以上のように、本実施形態に係る写真処理装置（現像処理装置３）は、ターン部３２１において、吸水体３２４ｂ中の現像処理液Ｗによって感光材料Ｐの乳剤面の反応を促進することができる。これにより、現像処理に必要な搬送距離（特には、垂直搬送部３２０での搬送距離）を短くすることができるので、現像処理液槽３０を小型化して当該現像処理装置３全体を小型化することができる。また、ターン部３２１でも乳剤面を反応させることで、垂直搬送部３２０での反応時間を短縮することができ、その結果、感光材料Ｐに対する現像処理の全体処理時間（搬送時間）を短縮することができる。
【００７８】
さらに、ターン部３２１において、ターンローラ３２２ｂとターンベルト３２３ｂ（柔軟な吸水体３２４ｂ）とによって感光材料Ｐの全面を圧着した状態で搬送するように構成されているので、感光材料Ｐの搬送方向を切り換えるに際して感光材料Ｐは勿論のこと、該感光材料Ｐの乳剤面上に形成される画像を傷めることも防止できる。
【００７９】
また、本実施形態においては、ターンローラ３２２ｂの芯体３２４ｂ’を筒状にすると共に複数の貫通孔３２５…を穿設したので、現像処理液Ｗが交換されるに際し、吸水体３２４ｂの表面からだけでなく、複数の貫通孔３２５…介して芯体３２４ｂ’側からも現像処理液Ｗの交換を行うことができ、現像処理液Ｗの交換効率を高めることができる。さらに、吸水体３２４ｂをスポンジで構成したので、復元力や吸水効率が高い上に、スクイズローラ３２６ｂで大きな押圧力を作用させなくても内部の現像処理液Ｗを効率よく放出させることができ、これによっても現像処理液Ｗの交換効率を高めることができる。
【００８０】
また、本実施形態においては、スクイズローラ３２６ｂを設けたので、吸水体３２４ｂ内に先行する感光材料Ｐの乳剤面と反応した現像処理液Ｗを押し出して液槽３０ａ，３０ｂ，３０ｃ…内で一新された現像処理液Ｗを吸水させるようにしたので、後続の感光材料Ｐの乳剤面に対する反応の鈍化を防止することができる。その上、現像処理液Ｗの粘性や現像処理液Ｗとターンローラ３２２ｂ（吸水体３２４ｂ）の外周面との抵抗等の作用により、ターンローラ３２２ｂ（吸水体３２４ｂ）と現像処理液Ｗとの間に境界層が形成され、吸水体３２４ｂ自身による現像処理液Ｗの交換作用（吸水機能）が低下しても、スクイズローラ３２６ｂを設けることで現像処理液Ｗを強制的に交換することができる。このように吸水体３２４ｂに対する現像処理液Ｗの交換を重視した本実施形態に係る現像処理装置３は、ターン部３２１で高品質な現像処理を行うことができる。
【００８１】
尚、本発明の現像処理装置は、上記実施形態に限定されるものではなく、本発明の要旨を逸脱しない範囲内において種々変更を加え得ることは勿論である。
【００８２】
上記第一及び第二実施形態において、現像処理装置３を露光処理装置２と一体的に構成した写真処理装置について説明したが、これに限定されるものではなく、現像処理装置３は、単体で構成したものであってもよい。
【００８３】
上記第二実施形態において、スクイズローラ３２６ｂを一つだけ設けたが、これに限定されるものではなく、例えば、スクイズローラ３２６ｂを設ける場合には、二つ以上設けるようにしてもよい。その一方で、第一実施形態においては、複数のガイドローラ３２８…がスクイズローラとしても機能するようにしたので、このような場合には、スクイズローラ３２６ａを設けることなく、ガイドローラ３２８…のみで現像処理液Ｗを強制的に交換するようにしてもよい。
【００８４】
上述の如く、上記第一及び第二実施形態において、スクイズローラ３２６ａ，３２６ｂを設け、強制的に現像処理液Ｗを交換するようにしたが、これに限定されるものではなく、スクイズローラ３２６ａ，３２６ｂは必要に応じて設ければよい。即ち、スクイズローラ３２６ａ，３２６ｂを設けなくても、吸水体３２４ａ，３２４ｂは現像処理液Ｗに浸漬状態にあるので、吸水体３２４ａ，３２４ｂの表層に現像処理液Ｗが付着乃至吸水可能であり、この表層に付着乃至吸水された現像処理液Ｗでターン搬送中の感光材料Ｐの乳剤面を反応させることができる。また、ターンローラ３２２ａ，３２２ｂ、及びターンベルト３２３ａ，３２３ｂは、互い圧接状態となっているので、この圧接力による吸水体３２４ａ，３２４ｂの変形と、ターンローラ３２２ａ，３２２ｂ、及びターンベルト３２３ａ，３２３ｂの回転に伴う変形の解除とにより、吸水体３２４ａ，３２４ｂに対する現像処理液Ｗの交換を行うことができる。この場合において、吸水体３２４ａ，３２４ｂに、ターンローラ３２２ａ，３２２ｂ、及びターンベルト３２３ａ，３２３ｂの圧接力で変形可能な素材を作用することは勿論のことである。但し、長時間の現像処理を行っても効率的な現像処理液Ｗの交換を行うことができるようにするには、上述の如く、スクイズローラ３２６ａ，３２６ｂを設けることが好ましい。
【００８５】
上記第一及び第二実施形態において、吸水体３２４ａ，３２４ｂに柔軟な発泡樹脂（スポンジ）を採用したが、これに限定されるものではなく、例えば、布地（好ましくは、フェルト地）や綿等であってもよい。即ち、吸水体３２４ａ，３２４ｂは、吸水性を有し、且つ乳剤面を傷付けることのない柔軟なものであれば種々のものを採用することができる。
【００８６】
上記第一実施形態において、前記ターンベルト３２３ａの基材３２４ａ’に線材を網状に織ったメッシュ材を採用するようにしたが、例えば、ゴム製の平ベルトに貫通した複数の孔を穿設したメッシュ材で基材３２４ａを構成するようにしてもよい。このようにしても上記第一実施形態と同様の作用効果をそうすることは当然である。
【００８７】
第一実施形態において、ターンベルト３２３ａの基材３２４ａ’にメッシュ材を採用したが、これに限定されるものではなく、例えば、前記基材３２４ａ’を平ベルトで構成し、該平ベルトの外周面に吸水体３２４ａを設けるようにしてもよい。また、上記第二実施形態において、ターンローラ３２２ｂを筒状の芯体３２４ｂ’と吸水体３２４ｂとで構成し、前記芯体３２４ｂ’に複数の貫通孔３２５を穿設するようにしたが、これに限定されるものではなく、例えば、芯体３２４ｂ’を中実に形成し、外周面に吸水体３２４ｂを設けるようにしてもよい。このようにしても、吸水体３２４ａ，３２４ｂの吸水作用によって現像処理液Ｗを吸水体３２４ａ，３２４ｂに含ませることができ、ターン部３２１で乳剤面の反応を促進することができる。
【００８８】
第一実施形態において、ターンベルト３２３ａの外周のみに吸水体３２４ａを設け、第二実施形態において、ターンローラ３２２ｂの外周のみに吸水体３２４ｂを設けるようにしたが、これに限定されるものではなく、例えば、ターンローラ３２２ａ，３２２ｂ及びターンベルト３２３ａ，３２３ｂの両方の外周に吸水体３２４ａ，３２４ｂを設けるようにしてもよい。即ち、ターンローラ３２２ａ，３２２ｂ及びターンベルト３２３ａ，３２３ｂのうち、少なくとも感光材料Ｐの乳剤面に圧接する一方側に吸水体３２４ａ，３２４ｂを設ければよい。
【図面の簡単な説明】
【００８９】
【図１】本発明の第一実施形態に係る写真処理装置の全体斜視図を示す。
【図２】第一実施形態に係る写真処理装置の全体概略図を示す。
【図３】第一実施形態に係る現像処理装置の概略断面図を示す。
【図４】第一実施形態に係る現像処理装置における液中搬送手段の概略拡大図を示す。
【図５】本発明の第二実施形態に係る現像処理装置の概略断面図を示す。
【図６】第二実施形態に係る現像処理装置における液中搬送手段の概略拡大図を示す。
【図７】従来の現像処理装置における液中搬送手段の概略拡大図を示す。
【符号の説明】
【００９０】
１…制御部、２…露光処理装置、３…現像処理装置、４…乾燥処理装置、５…仕分装置、１０…モニター、１１…入力手段、１２…読取手段、１３…演算処理装置、２０…マガジン、２１…切断装置、２２…露光装置、３０…現像処理液槽、３０ａ，３０ｂ，３０ｃ…液槽、３１…搬送手段、３２…液中搬送手段、３３…外部搬送手段、１１０…キーボード、１１１…マウス、１２０…フィルムスキャナ、１２１…メディアドライブ、１３３…インターフェイス、２２０…露光ヘッド、２２１…光源、２２２…光ファイバー束、２２３…光シャッター、３２０…垂直搬送部、３２０ａ…メインローラ、３２０ｂ…サブローラ、３２１…ターン部、３２２ａ，３２２ｂ…ターンローラ、３２３ａ，３２３ｂ…ターンベルト、３２４ａ，３２４ｂ…吸水体、３２４ａ’…基材、３２４ｂ’…芯体、３２５…貫通孔、３２６ａ，３２６ｂ…スクイズローラ（押圧ローラ）、３２７ａ，３２７ｂ，３２７ｃ…プーリー、３２８…ガイドローラ、Ａ…上流側搬送経路、Ｂ…下流側搬送経路、Ｆ…フィルム、Ｍ…メディア、Ｐ…感光材料、Ｗ…現像処理液
【図１】
2006337444.tif 000003
【図２】
2006337444.tif 000004
【図３】
2006337444.tif 000005
【図４】
2006337444.tif 000006
【図５】
2006337444.tif 000007
【図６】
2006337444.tif 000008
【図７】
2006337444.tif 000009